(57)【要約】      （修正有）【課題】治療残時間の発光表示を暗所では明る過ぎずに気にならず、明所でも確認できる程度の光点としたり、複数の発光モードを採用可能にする交流電流治療器を提供する。【解決手段】絶縁被覆の導電マットから生体に交流高電圧を印加して治療を実行する交流電位治療器の治療残時間を発光表示するに当たり、前記治療器の外面に所定時間毎に配列した治療時間選択スイッチで、タイマー回路Ｔのオン時間を設定し、このオン時間だけ前記電位治療器を作動可能に構成すると共に、前記選択スイッチに対応して配列した多数の発光素子を発光モード制御部ＣＰＵと発光モード選択スイッチＳＡ・ＳＢにより、治療残時間の減少に応じて発光点が１個ずつ順次に移動する光点移動発光モードと、光点漸減発光モードと、ブロック発光移動モードとでそれぞれ各別に発光させ、かつ、前記光点を暗所では明る過ぎずに気にならず、明所でも確認できる程度の光点に設定した。【選択図】図１
2016026655.tif 000002
【特許請求の範囲】
【請求項１】
絶縁被覆の導電マットから生体に交流高電圧を印加して治療を実行する交流電位治療器の治療残時間を発光表示するに当たり、前記治療器の外面に所定時間毎に配列した治療時間選択スイッチで、タイマー回路のオン時間を設定し、このオン時間だけ前記電位治療器を作動可能に構成する一方、前記選択スイッチに対応して配列した多数の発光素子を発光モード制御部ＣＰＵにより、治療残時間の減少に応じて発光点が１個ずつ順次に移動する光点移動発光モードと、治療残時間に応じて発光表示させた多数の発光素子を治療残時間の減少に応じて１個ずつ順次に消す光点漸減発光モードと、単位発光素子を複数個ずつ配列した発光ブロックを治療残時間の減少に応じ、前記所定時間毎に１個ずつ順次に移動させると共に、この発光ブロック内の複数の単位発光素子を治療残時間の減少に応じて１個ずつ順次に消すブロック発光移動モードとに区別して発光可能とし、これら三つの発光モードから一つの発光モードを前記ＣＰＵの発光モード選択スイッチにより選択可能とし、かつ前記光点を暗所では明る過ぎずに気にならず、明所でも確認できる程度の光点に設定したことを特徴とする交流電位治療器における治療残時間の発光表示方法。
【発明の詳細な説明】
【技術分野】
【０００１】
本発明は、交流電位治療器における治療残時間の発光表示方法に係り、特にこの発明は、上記発光表示が暗所では明る過ぎずに気にならず、しかも明所でも確認できる程度の光点とし、発光表示モードを変更できる治療残時間の発光表示方法に関する。
【背景技術】
【０００２】
従来の交流電位治療器における治療残時間の発光表示方法としては、例えば特開２０１２−３４８０８号公報（特許文献１）に記載のように、発光部や、発光表示部の輝度を減光することで、表示光が暗所で気になる問題を解決した発光文字表示式の治療残時間表示方法が周知である。
【０００３】
この特許文献１には、その要約として、操作手段を照明する発光手段と、制御手段による制御で発光手段と発光表示手段のオン／オフ駆動および減光駆動する駆動手段と、治療開始から所定時間まで計時する減光タイマーとを用い、治療動作を開始すると共に減光タイマーの計時を開始する処理と、減光タイマーの計時が所定時間に達した時に駆動手段を制御し、発光手段を減光させる処理を制御手段で実行するとした記載が有る。
【０００４】
上記文献１の発光表示手段には、唯一の実施例として、文献１の段落００１０に記載のように、７個の発光ダイオードを８字状に配置したＬＥＤアレイを用い、その減光に当っては、唯一の実施例として、文献１の段落００２５に記載のように、減光タイマーの計時が所定時間（例えば１０秒）に達すると、駆動手段を制御し、上記発光表示手段を使用者が気にならないくらいの照度に減光させるように制御するとした記載が有る。
【０００５】
したがって、この文献１の発光手段や、発光表示手段の「減光」という意味は、減光タイマーの計時が所定時間（例えば１０秒）に達すると、暗い部屋で表示部分の光が気にならない位に上記発光手段や、発光表示手段の輝度・照度を減じることである。
【０００６】
したがって、上記文献１の発光手段や、発光表示手段の発光表示文字は、交流電位治療器を明るい場所で使用する場合にも、前記所定時間後には必ず暗所で気にならない程度に「減光」してしまうので、この減光した発光表示文字は、明るい場所では輝度不足のため解読不可能になるという根源的で切実な問題点が有る。
【先行技術文献】
【特許文献】
【０００７】
【特許文献１】特開２０１２−３４８０８号公報
【発明の概要】
【発明が解決しようとする課題】
【０００８】
本発明は、交流電位治療器による治療残時間の発光表示を暗所では明る過ぎずに気にならず、しかも明所でも確認できる程度の光点表示としたり、複数の発光モードを採用可能にすることを目的とする。
【課題を解決するための手段】
【０００９】
前記目的を達成する前提手段としては、先ず、絶縁被覆の導電マットから生体に交流高電圧を印加して治療を実行する交流電位治療器の外面に所定の時間区域毎に整然と配列した治療時間選択スイッチで、タイマー回路のオン時間を設定し、このオン時間だけ前記電位治療器を作動可能に構成する一方、前記選択スイッチに対応して配列した多数の発光素子を発光モード制御部ＣＰＵにより、治療残時間の減少に応じて発光点が１個ずつ順次に移動する光点移動発光モードで発光させ、かつ、前記光点を暗所では明る過ぎずに気にならず、しかも明所でも確認できる程度の光点に設定する。
【００１０】
さらに、前記交流電位治療器の電源スイッチ投入によりパイロット光点を発光させると共に、治療器制御系回路を始動させた後、前記治療器の外面に所定時間毎に整然と配列した治療時間選択スイッチで、タイマー回路のオン時間を設定し、このオン時間だけ前記電位治療器を作動可能に構成する一方、前記選択スイッチに対応して整然と配列した多数の発光素子を発光モード制御部ＣＰＵにより、治療残時間の減少に応じて発光点が１個ずつ順次に移動する光点移動発光モードで発光させ、前記パイロット光点を指標として前記移動光点の位置を検することで治療残時間を検知可能に構成する。
【００１１】
次いで、発光素子の発光モードを発光モード制御部ＣＰＵにより、前記光点移動発光モードと、治療残時間に応じて発光表示させた多数の発光素子を治療残時間の減少に応じて１個ずつ順次に消す、光点漸減発光モードとに区別して発光可能とし、これら二つの発光モードから一つの発光モードを前記ＣＰＵの発光モード選択スイッチにより選択可能に構成する。
【００１２】
そして、特に本発明では、発光素子の発光モードを発光モード制御部ＣＰＵにより、前記光点移動発光モードと、前記光点漸減発光モードと、単位発光素子を複数個ずつ配列した発光ブロックを治療残時間の減少に応じ、前記所定時間毎に１個ずつ順次に移動させると共に、この発光ブロック内の例えば１０個の単位発光素子を治療残時間の減少に応じ、きめ細かく１個ずつ順次に消す、ブロック発光移動モードとに区別して発光可能とし、これら三つの発光モードから一つの発光モードを前記ＣＰＵの発光モード選択スイッチにより選択可能としたことで、本発明の前記目的は達成できた。
【発明の効果】
【００１３】
本発明によれば、先ず、前記多数の発光素子を発光モード制御部ＣＰＵにより、治療残時間の減少に応じて発光点が１個ずつ順次に移動する光点移動発光モードで発光させることで、治療残時間を検知できると共に、前記発光素子を現用一般的な電子機器の状態表示用発光素子程度とし、光点を例えば直径２ｍｍ程度または１辺が２ｍｍ程度のスポット状にすることにより、光点を暗所では明る過ぎずに気にならず、しかも明所でも確認できる程度の光点にできたので、この光点は、明所で確認できる程度の光点の輝度や発光面積でも暗所では明る過ぎないし、この光点はそのまま、明所でも確認できるという優れた効果が有り、暗所で表示光が明る過ぎずに気にならなくなる。
【００１４】
さらに、前記多数の発光素子を発光モード制御部ＣＰＵにより、治療残時間の減少に応じて発光点が１個ずつ順次に移動する光点移動発光モードで発光させ、電源スイッチの投入により、予め発光させてある前記パイロット光点を指標として前記移動光点の位置を検することで、治療残時間を検知可能にしたので、上記パイロット光点を指標光点として兼用でき、前記光点との間隔を真暗闇でも容易かつ、確実に確認できると共に、専用の指標光点か不要となったので、スペース的にもコスト的にも経済的となる
【００１５】
また、多数の発光素子を発光モード制御部ＣＰＵにより、治療残時間の減少に応じて発光点が１個ずつ順次に移動する光点移動発光モードと、治療残時間に応じて発光表示させた多数の発光素子を治療残時間の減少に応じて１個ずつ順次に消す、光点漸減発光モードとに区別して発光可能とし、これら二つの発光モードから一つの発光モードを前記ＣＰＵの発光モード選択スイッチにより選択可能としたので、上記光点漸減発光モードの発光素子の光点列は、明所でも一層見易くなった。
【００１６】
そして、特に本発明によれば、前記諸効果に加え、発光素子の発光モードを発光モード制御部ＣＰＵにより、前記光点移動発光モードと、前記光点漸減発光モードと、単位発光素子を複数個ずつ配列した発光ブロックを治療残時間の減少に応じ、前記所定時間毎に１個ずつ順次に移動させると共に、この発光ブロック内の例えば１０個の単位発光素子を治療残時間の減少に応じ、きめ細かく１個ずつ順次に消す、ブロック発光移動モードとに区別して発光可能とし、これら三つの発光モードから一つの発光モードを前記ＣＰＵの発光モード選択スイッチにより選択可能としたので、より一層バラエティに富んだ治療残時間の発光表示ができるという優れた効果が有る。
【００１７】
すなわち、前記治療残時間の減少に応じて例えば１分間毎に１個ずつ順次に消える単位発光素子により、一層きめの細かい治療残時間の発光表示が可能になると共に、このブロック発光移動モードによる上記発光ブロックは、治療残時間の減少に応じ、例えば１０分毎に１個ずつ順次に移動するので、治療残時間の発光表示がより一層見易く、確実にできるし、バラエティに富んだ治療残時間の発光表示ができるという効果を付加できた。
【図面の簡単な説明】
【００１８】
【図１】本発明要部の実施形態例を示す系統回路図
【図２】本発明による交流電位治療器の１例を示す外観図
【図３】本発明における光点移動発光モードの例を示す説明図
【図４】本発明における光点漸減発光モードの例を示す説明図
【図５】本発明におけるブロック発光移動モードの例を示す説明図
【発明を実施するための形態】
【００１９】
次に、本発明の実施形態の１例を図面と共に説明すると、図１・図２のように絶縁被覆の導電マットｍから生体に交流高電圧を印加して治療を実行する交流電位治療器Ａを構成するに当たり、図１のように上記治療器Ａの電源スイッチＭＳの投入により、例えば発光ダイオード（ＬＥＤ）等による電源投入表示用発光素子や、交流電位治療器の強弱モード表示用発光素子等のパイロット光点ＰＬを発光させると共に、図１の鎖線ルートで示すように交流電位治療器Ａのタイマー回路等を含む制御系ａをスタンバイ状態に維持する。
【００２０】
次いで、図１・図２のように前記治療器Ａの外面に所定時間、例えば図示例では１０分間毎に整然と配列した６個の治療時間選択スイッチＳ１〜Ｓ６の各別操作で、図１のように現用一般的なタイマー回路Ｔのオン時間を所定時間、例えば１０分間毎に設定可能とし、このオン時間だけ前記電位治療器Ａに現用周知のスイッチ回路ＳＷを経て電源電流を供給し、この治療器を作動可能に構成する。
【００２１】
次いで、発光ダイオード（ＬＥＤ）等の発光素子Ｄ１〜Ｄ６を図１のように、発光素子ドライブ回路Ｄを経て治療器Ａの内部に配置し、上記発光素子Ｄ１〜Ｄ６からの光線をそれぞれ上記各スイッチＳ１〜Ｓ６に対応して治療器Ａの外面に設けた横長の光点表示窓Ｐの内面に投射することで、例えば緑色の光点Ｌを図２のように上記光点表示窓Ｐに表示可能に構成するのであるが、その詳細は次の実施例１で述べる。
【００２２】
また、前記発光モード制御部ＣＰＵに内装した発光モードデータメモリーＭに周知手段で予め記憶させてある例えば二つの発光モードデータから、一つの発光モードデータを発光モード選択スイッチＳＡ・ＳＢを介して二者択一選択可能に構成し、次段の発光素子ドライブ回路Ｄを経て上記６個の発光素子Ｄ１〜Ｄ６を各発光モードで発光可能に構成するのであるが、その詳細も次の実施例１で述べる。
【実施例１】
【００２３】
先ず、前記二つの発光モードとしては、治療残時間の減少に応じて光点Ｌが図３のＢ〜Ｇの順序で１０分間毎に１個ずつ順次に移動する光点移動発光モードと、図４のＢのように治療残時間に応じて発光表示させた多数の光点Ｌを治療残時間の減少に応じて図４のＢ〜Ｇの順序で１０分間毎に１個ずつ順次に消す、光点漸減発光モードとの二つの発光モードを予め用意する。
【００２４】
具体的には、図１のように前記発光モード制御部ＣＰＵ内に発光モードデータメモリーＭを設け、このメモリーＭに前記光点移動発光モードと光点漸減発光モードとの二つの発光モードを、それぞれ一連のシーケンスに基づく周知のプログラム化手段で、各別にプログラムデータ化した二つの発光モードデータを記憶させておき、そのメモリー内容を前記発光モード制御部ＣＰＵにより、前記発光モード選択スイッチＳＡ・ＳＢを介し、一連のシーケンスに基づく現用周知のメモリデータ選択手段で、二者択一選択可能にする。
【００２５】
ところで、真暗闇の部屋等では、交流電位治療器自体が見えず、この見えない状態で上記光点移動発光モードを用いても、光点Ｌの移動位置が確認困難となるので、前記電源投入表示用発光素子等のパイロット光点ＰＬを指標として移動光点Ｌの位置を検知可能にすれば、治療残時間を容易・確実に検知できるが、光点漸減発光モードや、ブロック発光移動モードでは、上記パイロット光点ＰＬは不要となる。
【００２６】
ただし、上記各光点Ｌ・ＰＬを暗所では明る過ぎずに気にならず、しかも明所でも確認できる程度の光点にするには、前記各発光素子Ｄ１〜Ｄ６・ＰＬに現用一般的な電子機器の状態表示に用いる発光素子の輝度程度で小形のものを用いると共に、各発光素子Ｄ１〜Ｄ６の発光面に対向配置した交流電位治療器の光点表示窓Ｐの内面に黒色遮光フィルムを配したり、黒色塗料を塗布する。
【００２７】
次いで、上記フィルムや黒色塗料の上記発光面対向部分に例えば直径２ｍｍ程度の光線透過部または、１辺が２ｍｍ程度の光線透過部を設け、前記各発光素子からの投射光を光点表示窓Ｐの外面に光点Ｌとして各別に表出させることで、この光点Ｌが暗所では明る過ぎずに気にならず、明所でも確認できる程度の光点に設定できた。
【００２８】
なお、上記光線透過孔付きの黒色遮光フィルムや、黒色塗料を用いる代わりに、直径２ｍｍ程度の遮光丸枠または、２ｍｍ×４ｍｍ程度の遮光角枠から各発光素子Ｄ１〜Ｄ６からの投射光を前記光点表示窓Ｐの内面にスポット投射可能に各別配置しても、上記光点表示窓Ｐを経た各発光ダイオードＤ１〜Ｄ６による光点Ｌを暗所では明る過ぎずに気にならず、しかも明所でも確認できる程度の光点に設定でき、前記パイロット光点ＰＬに関しても、その表示窓に上記光点表示手段を施す。
【実施例２】
【００２９】
本件発明は、特に、前記二つの発光モードのほかに、図５のように単位発光素子ｄを例えば１０個ずつ配列した６個の発光ブロックＢを治療残時間の減少に応じ、前記所定時間毎に１個ずつ図５の矢示方向に移動させる際に、この発光ブロックＢ内の上記１０個の単位発光素子ｄを治療残時間の減少に応じてきめ細かく１個ずつ順次に消す、ブロック発光移動モードを付加した。
【００３０】
その具体構成は、図５のように単位発光素子ｄを例えば遮光枠内に１０個ずつ設けた発光ブロックＢを治療残時間の減少に応じて前記所定時間、例えば図示例では１０分間毎に１個ずつ矢示方向に移動させると共に、この発光ブロックＢ内の上記単位発光素子ｄを治療残時間の減少に応じ、きめ細かく例えば１分間毎に１個ずつ順次に消光できる。
【００３１】
図５に示す実施例では、例えば１０分後に上記発光素子ブロックＢ内の単位発光素子ｄの全部が消えたら、矢示方向に隣接した次の発光ブロックＢ内の１０個の単位発光素子ｄの全部を発光させ、この発光素子ｄを治療残時間の減少に応じ、例えば１分間毎に１個ずつ順次に消すという、一連の発光表示動作を治療時間終了まで順次に繰り返すことで、ブロック発光移動モードによる治療残時間の発光表示が可能になった。
【００３２】
具体的には、図１のように前記発光モード制御部ＣＰＵ内に発光モードデータメモリーＭを設け、このメモリーＭに前記光点移動発光モードと光点漸減発光モードと、上記ブロック発光移動モードとの合計三つの発光モードを、それぞれ一連のシーケンスに基づく周知のプログラム化手段で、各別にプログラムデータ化した三つの発光モードデータを記憶させておき、そのメモリー内容を前記発光モード制御部ＣＰＵにより、前記と同様な選択スイッチ（図示せず）を介し、一連のシーケンスに基づく現用周知のメモリデータ選択手段で、上記三つの発光モードから一つの発光モードを選択可能にしてある。
【００３３】
以上のブロック発光移動モードを採用すれば、治療残時間の減少に応じ、例えば１分間毎に１個ずつ順次に移動する単位発光素子により、一層きめの細かい治療残時間の発光表示が可能になると共に、この発光モードによる上記発光ブロックは、治療残時間の減少に応じ、例えば１０分毎に１個ずつ順次に移動するので、治療残時間の発光表示がより一層見易く、確実に実行できるし、バラエティに富んだ治療残時間の発光表示ができる。
【００３４】
なお、前記光点移動発光モードによる発光表示に図５に示す実施形態を採用する場合には、前記６個の発光ブロックＢ内にそれぞれ設けた例えば１０個の単位発光素子ｄを治療残時間の減少に応じ、図５の矢示方向にきめ細かく１分間毎に１個ずつ順次に移動可能にすれば、治療残時間の減少に応じて上記１０個の単位発光素子ｄが、１分間毎に１個ずつ順次に移動するので、きめ細かく治療残時間の発光表示が可能になる。
【００３５】
ただし、図５に示す実施形態を前記光点漸減発光モードに採用する場合には、治療残時間に対応して予め発光表示させてある多数の発光ブロックＢを治療残時間の減少に応じ、１０分間毎に１個ずつ消すに当たり、最初の発光ブロックＢ内の１０個の単位発光素子ｄを治療残時間の減少に応じ、きめ細かく１分間毎に１個ずつ順次に消しつつ、最初の発光表示をきめ細かく実行する。
【００３６】
次いで、予め発光済の図５矢示方向に隣接した次の発光素子ブロックＢ内の１０個の単位発光素子ｄも治療残時間の減少に応じ、きめ細かく１分間毎に１個ずつ順次に消しつつ、第２番目の発光表示をきめ細かく実行するという、一連の発光表示動作を治療時間終了まで順次に繰り返すことで、光点漸減発光モードによる、きめ細かい治療残時間の発光表示ができる。
【符号の説明】
【００３７】
Ａ…交流電位治療器              Ｍ…発光モードデータメモリー
ａ…交流電位治療器の制御系      ＭＳ…電源スイッチ
Ｂ…発光ブロック                Ｓ１〜Ｓ６…治療時間選択スイッチ
ＣＰＵ…発光モード制御部        ＳＡ・ＳＢ…発光モード選択スイッチ
Ｄ…発光素子ドライブ回路        ＳＷ…スイッチ回路
Ｄ１〜Ｄ６…発光素子            Ｔ…タイマー回路
ｄ…単位発光素子                Ｐ…光点表示窓
Ｌ…光点                        ＰＬ…パイロット光点
【図１】
2016026655.tif 000003
【図２】
2016026655.tif 000004
【図３】
2016026655.tif 000005
【図４】
2016026655.tif 000006
【図５】
2016026655.tif 000007